(57)【要約】【課題】フィルターが不要で、広範囲の汚染物質の除去に対応できる空気清浄器を提供する。【解決手段】汚染物質を含む空気を気泡状態にして水等の洗浄液体の中を通すか、又は同空気を逆に水滴状態、泡状態の液体に接触させることにより、それぞれ液体側に汚染物質を捕集させるようにした。【選択図】　　　　図１
2004033939.tif 000002
【特許請求の範囲】
【請求項１】
各々所定量の水等洗浄液を滞留させた複数の洗浄液収容室（２１），（２２），（２３）と、該複数の洗浄液収容室（２１），（２２），（２３）内の洗浄液（Ｗ１），（Ｗ２），（Ｗ３）中に順次汚染物質（Ｇ），（Ｇ）・・・を含む空気を供給し、それぞれ気泡状態で洗浄液（Ｗ１），（Ｗ２），（Ｗ３）と接触させることにより、当該気泡（Ｂ１），（Ｂ１）・・・、（Ｂ２），（Ｂ２）・・・、（Ｂ３），（Ｂ３）・・・中の汚染物質（Ｇ），（Ｇ）・・・を洗浄液（Ｗ１），（Ｗ２），（Ｗ３）側に捕集させるようにした空気清浄器。
【請求項２】
複数の洗浄液収容室（２１），（２２），（２３）内で形成される汚染物質（Ｇ），（Ｇ）・・・を含む空気の気泡（Ｂ１），（Ｂ１）・・・、（Ｂ２），（Ｂ２）・・・、（Ｂ３），（Ｂ３）・・・は、それぞれ供給される順番に次第に径が微小化されるように構成されていることを特徴とする請求項１記載の空気清浄器。
【請求項３】
汚染物質（Ｇ），（Ｇ）・・・を含む空気は、複数の洗浄液収容室（２２），（２３）の底壁部（３２），（３３）に形成された微細な空気送通孔（３２ａ），（３２ａ）・・・、（３３ａ），（３３ａ）・・・・を介して洗浄液（Ｗ２），（Ｗ３）中に供給されるようになっており、供給後の空気の気泡（Ｂ２），（Ｂ２）・・・、（Ｂ３），（Ｂ３）・・・の径の微小化は、当該微細な空気送通孔（３２ａ），（３２ａ）・・・、（３３ａ），（３３ａ）・・・・の径を順次微小化することによりなされるように構成されていることを特徴とする請求項１又は２記載の空気清浄器。
【請求項４】
複数の洗浄液収容室（２１），（２２），（２３）は、下方から上方に複数段に配置されていて、最下段側の洗浄液収容室（２１）の洗浄液の一部が最上段側の洗浄液収容室（２３）に一定量づつ供給されるようになっている一方、同供給量に応じて、最上段側洗浄液収容室（２３）に滞留されている洗浄液の汚染物質（Ｇ），（Ｇ）・・・の多い上層部の一部が順次オーバフロー通路（４ａ），（５ａ）を介して下方側に移されるように構成されていることを特徴とする請求項１，２又は３記載の空気清浄器。
【請求項５】
送風手段（１８）を介して空気が流通する空気流通空間（１２）の上流側に正又は負の第１の帯電電極（１３ａ）を、その下流側に負又は正の第２の帯電電極（１３ｂ）を各々設ける一方、第２の帯電電極（１３ｂ）の下方に水等の洗浄液Ｗを所定量収容した洗浄液収容容器（１５）を設け、該洗浄液収容容器（１５）内の洗浄液Ｗを所定の洗浄液供給手段（１６），（１７）を介して上記第２の帯電電極（１３ｂ）の上部に供給し、同第２の帯電電極（１３ｂ）の電極面上を水滴状態にしてしたたらせることにより同水滴（Ｗａ），（Ｗａ）・・を負又は正に帯電させ、上記上流側第１の帯電電極（１３ａ）によって正又は負に帯電されて流れてくる汚染物質（Ｇ），（Ｇ）・・・を静電的に吸着して上記洗浄液収容容器（１５）内に回収するようにしたことを特徴とする空気清浄器。
【請求項６】
送風手段（１８）を介して空気が流通する空気流通空間（４２）中に泡上昇通路（４４Ａ），（４４Ｂ），（４４Ｃ）を設ける一方、該泡上昇通路（４４Ａ），（４４Ｂ），（４４Ｃ）の下部に洗浄液による泡発生手段（４７ａ），（４７ｂ），（４７ｃ）を配置して連続的に泡（Ｓ），（Ｓ）・・・を発生させ、該発生した泡（Ｓ），（Ｓ）・・・を上記泡上昇通路（４４Ａ），（４４Ｂ），（４４Ｃ）部分で上記汚染物質（Ｇ），（Ｇ）・・・を含む空気と接触させ、同空気中の汚染物質（Ｇ），（Ｇ）・・・を当該泡（Ｓ），（Ｓ）・・・側に取り込むようにしたことを特徴とする空気清浄器。
【発明の詳細な説明】
【０００１】
【発明の属する技術分野】
本願発明は、フィルター部材を必要としない空気清浄器に関するものである。
【０００２】
【従来の技術】
従来の空気清浄器は、一般に空気吸込通路中に紙製その他の材料よりなりフィルター部材を設け、通過する空気中の塵や埃（塵埃）等の汚染物質を捕集する清浄方式が採用されている。
【０００３】
【発明が解決しようとする課題】
しかし、上記従来のフィルター方式では、同一のフィルターを目詰りするまでの相当長期間に亘って使用することになり、次第に塵埃捕集性能が低下してくるとともに、衛生度が低下する難点がある。
【０００４】
また、同フィルター構造で、例えばウィルスや細菌、花粉等の微細な汚染物質をも除去しようとすると、相当に微細なフィルターメッシュのものを採用することが必要となるが、そのようにすると、送風時の圧損が高くなる。また、風圧が増加するため、捕集できる汚染粒子のサイズにも限界が生じる。
【０００５】
このような事情から最近では、酸化チタン等の抗菌・脱臭機能を有し、長期間に亘ってフィルター交換なしに使用することができる光触媒シートをフィルター部材として採用し、ウィルスや細菌を不活化するとともにホルムアルデヒド等の建築臭や排気ガス、ＮＯｘ等を分解するようにしたものも提供されるようになっている。
【０００６】
しかし、この光触媒を採用したものでは、上記光触媒シートに加えて光触媒ランプも必要となり、高価である。また、従来一般のプレフィルタとの併用が必要であり、やはり上述した従来の一般のフィルターに関連する問題を備えている。
【０００７】
本願発明は、以上のような事情に鑑み、汚染物質を含む空気を、例えば気泡状態にして洗浄液体の中を通すか、又は同汚染物質を含む空気を逆に水滴状態、あるいは泡状態の洗浄液体に接触させることにより、洗浄液体側に汚染物質を確実に捕集させるようにしたフィルター部材の不要な空気清浄器を提供することを目的とするものである。
【０００８】
【課題を解決するための手段】
本願発明は、上記従来の問題を解決し、上記の目的を達成するために、次のような課題解決手段を備えて構成されている。
【０００９】
（１）　第１の課題解決手段
先ず上記従来の問題を解決する第１の課題解決手段は、各々所定量の水等洗浄液を滞留させた複数の洗浄液収容室２１，２２，２３と、該複数の洗浄液収容室２１，２２，２３内の洗浄液Ｗ１，Ｗ２，Ｗ３中に順次汚染物質Ｇ，Ｇ・・・を含む空気を供給し、それぞれ気泡状態で洗浄液Ｗ１，Ｗ２，Ｗ３と接触させることにより、当該気泡Ｂ１，Ｂ１・・・、Ｂ２，Ｂ２・・・、Ｂ３，Ｂ３・・・中の汚染物質Ｇ，Ｇ・・・を洗浄液Ｗ１，Ｗ２，Ｗ３側に捕集させるように構成されている。
【００１０】
このように、それぞれ水等の洗浄液を所定量滞留させた複数の洗浄液収容室２１，２２，２３を使用し、それらの各々の洗浄液Ｗ１，Ｗ２，Ｗ３中を通して複数の段階で、気泡状態の空気を洗浄液Ｗ１，Ｗ２，Ｗ３と接触させると、当該空気中の大きさの異なる各種の汚染物質を、そのサイズに関係なく効果的に、かつ効率良く、確実に水等の洗浄液Ｗ１，Ｗ２，Ｗ３側に捕集して行くことができる。
【００１１】
したがって、空気清浄化性能が大きく向上する。
【００１２】
（２）　第２の課題解決手段
次に、上記従来の問題を解決する第２の課題解決手段は、上記第１の課題解決手段を前提として、その複数の洗浄液収容室２１，２２，２３内で形成される汚染物質Ｇ，Ｇ・・・を含む空気の気泡Ｂ１，Ｂ１・・・、Ｂ２，Ｂ２・・・、Ｂ３，Ｂ３・・・が、それぞれ供給される順番に次第に径が微小化されるように構成されていることを特徴としている。
【００１３】
このように、複数の洗浄液収容室２１，２２，２３の各洗浄液Ｗ１，Ｗ２，Ｗ３中を順々に通す空気の気泡の径を段階的に微小化しながら、複数の段階で各々洗浄液Ｗ１，Ｗ２，Ｗ３と接触させるようにすると、大きさの大きな汚染物質から大きさの小さな汚染物質まで、その大きさに応じた効果的な捕集が可能となる。
【００１４】
（３）　第３の課題解決手段
次に、上記従来の問題を解決する第３の課題解決手段は、上記第１又は第２の課題解決手段を前提とし、その汚染物質Ｇ，Ｇ・・・を含む空気は、複数の洗浄液収容室２２，２３の底壁部３２，３３に形成された微細な空気送通孔３２ａ，３２ａ・・・、３３ａ，３３ａ・・・・を介して洗浄液Ｗ２，Ｗ３中に供給されるようになっており、上記供給後の空気の気泡Ｂ２，Ｂ２・・・、Ｂ３，Ｂ３・・・の径の微小化は、当該微細な空気送通孔３２ａ，３２ａ・・・、３３ａ，３３ａ・・・・の径を順次微小化することによりなされるように構成されている。
【００１５】
したがって、該構成では、順次各洗浄液収容室２２，２３の底壁部３２，３３の空気送通孔３２ａ，３２ａ・・・、３３ａ，３３ａ・・・の直径を小さく微小化することにより、発生する気泡Ｂ２，Ｂ２・・・、Ｂ３，Ｂ３・・・の径を順次容易に微小化することができ、大きさの異なる汚染物質が順次除去されながら、段階的に供給されるので、空気送通孔３２ａ，３２ａ・・・、３３ａ，３３ａ・・・部分での目詰まりも生じにくい。
【００１６】
（４）　第４の課題解決手段
次に、上記従来の問題を解決する第４の課題解決手段は、上記第１，第２又は第３の課題解決手段を前提とし、その複数の洗浄液収容室２１，２２，２３は、下方から上方に複数段に配置されていて、最下段側の洗浄液収容室２１の洗浄液の一部が最上段側の洗浄液収容室２３に一定量づつ供給されるようになっている一方、同供給量に応じて、最上段側洗浄液収容室２３に滞留されている洗浄液の汚染物質Ｇ，Ｇ・・・の多い上層部の一部が順次オーバフロー通路４ａ，５ａを介して下方側に移されるように構成されている。
【００１７】
このような構成によれば、上記最下段側の洗浄液収容室２１の洗浄液Ｗ１の一部が、最上段側の洗浄液収容室２３の洗浄液Ｗ３中に供給されることにより、当該最上段側洗浄液収容室２３内の洗浄液Ｗ３中の特に汚染物質Ｇ，Ｇ・・・を含む上層部の洗浄液Ｗ３がオーバーフローして先ずオーバーフロー通路４ａを介して中段側の洗浄液収容室２２に移送され、それにより同中段側の洗浄液収容室２２内の特に汚染物質Ｇ，Ｇ・・・を含む上層部の洗浄液Ｗ２が、さらにオーバーフローして上記オーバーフロー通路５ａを介して最下段側の洗浄液収容室２１内に回収され、結局、上記最上段側洗浄液収容室２３の洗浄液Ｗ３、中段側洗浄液収容室２２の洗浄液Ｗ２部分の各々で捕集された各汚染物質は、共に最下段側洗浄液収容室２１内に集められて回収されることになる。
【００１８】
（５）　第５の課題解決手段
次に、上記従来の問題を解決する第５の課題解決手段は、送風手段１８を介して空気が流通する空気流通空間１２の上流側に正又は負の第１の帯電電極１３ａを、その下流側に負又は正の第２の帯電電極１３ｂを各々設ける一方、第２の帯電電極１３ｂの下方に水等の洗浄液Ｗを所定量収容した洗浄液収容容器１５を設け、該洗浄液収容容器１５内の洗浄液Ｗを所定の洗浄液供給手段１６，１７を介して上記第２の帯電電極１３ｂの上部に供給し、同第２の帯電電極１３ｂの電極面上を水滴状態にしてしたたらせることにより同水滴Ｗａ，Ｗａ・・を負又は正に帯電させ、上記上流側第１の帯電電極１３ａによって正又は負に帯電されて流れてくる汚染物質Ｇ，Ｇ・・・を静電的に吸着して上記洗浄液収容容器１５内に回収するようになっている。
【００１９】
このような構成によると、例えば水等の洗浄液を水滴化し、正又は負の帯電電極と組み合わせるだけで、比較的容易に、清浄化性能の高い洗浄液タイプの空気清浄器を提供することができるようになる。
【００２０】
（６）　第６の課題解決手段
さらに、上記従来の問題を解決する第６の課題解決手段は、送風手段１８を介して空気が流通する空気流通空間４２中に泡上昇通路４４Ａ，４４Ｂ，４４Ｃを設ける一方、該泡上昇通路４４Ａ，４４Ｂ，４４Ｃの下部に洗浄液による泡発生手段４７ａ，４７ｂ，４７ｃを配置して連続的に泡Ｓ，Ｓ・・・を発生させ、該発生した泡Ｓ，Ｓ・・・を上記泡上昇通路４４Ａ，４４Ｂ，４４Ｃ部分で上記汚染物質Ｇ，Ｇ・・・を含む空気と接触させ、同空気中の汚染物質Ｇ，Ｇ・・・を当該泡Ｓ，Ｓ・・・側に取り込むようになっている。
【００２１】
このような構成によると、例えば石けん水等の泡形成剤又はその他の発泡剤を使用して極めて簡単に空気清浄性能の高い液体洗浄式の空気清浄器を提供することができるようになる。
【００２２】
【発明の効果】
本願発明の空気清浄器によると、
（１）　捕集できる汚染物質のサイズに限界がなくなる、
（２）　捕集できる汚染物質の範囲が大きく拡大される、
（３）　洗浄液は、通常の水で足りるので、交換が容易で、衛生的である、
（４）　光触媒に比べて安価である、
等の有益な効果が得られる。
【００２３】
【発明の実施の形態】
以下、本願発明のいくつかの実施の形態の構成と作用について、詳細に説明する。
【００２４】
（実施の形態１）
図１〜図４は、滞留状態の水を洗浄液として汚染物質を含む空気と接触させるようにした本願発明の実施の形態１に係る空気清浄器の構成および作用を示している。
【００２５】
図中、先ず符号１は、同空気清浄器の箱形の本体ケーシングであり、この本体ケーシング１の内部は、例えば下方側から上方側に第１，第２，第３の複数の水収容室（洗浄液収容室）２１，２２，２３を備えた水タンク構造に形成されている。
【００２６】
先ず下段側第１の水収容室２１の底壁部３１は、上記本体ケーシング１の底壁部を利用した孔のない構造となっている。また、中段側第２の水収容室２２の底壁部３２は、第１の直径φ１（例えばφ１＝１０００μｍ）の多数（例えば１００ｃｍ２当り２５００個程度）の微細な孔３２ａ，３２ａ・・・を有する多孔体プレートとなっている。さらに、上段側第３の水収容室２３の底壁部３３は、上記第１の直径φ１よりも遥かに小さい第２の直径φ２（φ２＝１０μｍ）の多数（例えば１００ｃｍ２当り２５００万個程度）の孔３３ａ，３３ａ・・・を有する多孔体プレートとなっている。これら各多孔体プレートは、例えばステンレスプレートにレーザ穴加工することなどにより、容易に実現することができる。
【００２７】
そして、上記第１，第２，第３の各水収容室２１，２２，２３間は、それぞれ第１，第２のオーバーフローパイプ４，５を介して上方から下方に相互に連通せしめられているとともに、また水ポンプ１０を有する水循環路８を介して常時上記最下段側第１の水収容室２１内下方領域からの水Ｗ１が最上段側第３の水収容室２３内に一定量づつ供給されるようになっている。そして、それによってオーバーフローした上層部の水Ｗ３，Ｗ２が順次下方側第２，第１の水収容室２２，２１内に戻されることにより、同第１，第２，第３の水収容室２１，２２，２３内には、図示のごとく常時一定量の洗浄液としての水Ｗ１，Ｗ２，Ｗ３が保持滞留されるようになっている（その深さは、例えば水深５ｃｍ前後で足りる）。また上記水循環路８は、その水吸入口８ａ側が上記最下段側第１の水収容室２１内の可及的底部付近に、他方その水吐出口８ｂ側が最上段側第３の水収容室２３内上方に、各々開口して設けられている。
【００２８】
また、上記最下段側第１の水収容室２１内の底部中央には、空気清浄作用を必要とする室内の汚れた空気を導入する空気供給路７の空気吹出口７ａが開口している一方、上記最上段側第３の水収容室２３の上方側本体ケーシング１の天井部には、上記第１，第２，第３の水収容室２１，２２，２３を通して清浄化されたきれいな空気を室内に供給する空気吹出口６が設けられている。
【００２９】
したがって、該構成の空気清浄器では、上記空気供給路７を介して第１の水収容室２１内の所定量の水Ｗ１中に供給された汚れた空気は、同水Ｗ１中に吹き出されることにより、同水Ｗ１中を多数の気泡Ｂ１，Ｂ１・・・となって上昇する。この時、同気泡Ｂ１，Ｂ１・・・中に含まれているゴミや塵等の比較的サイズの大きな空気中の汚染物質Ｇ，Ｇ・・・が水Ｗ１と効率良く接触し、例えば図２に示すようにして、水Ｗ１中に取り込まれてゆく。これにより、先ず下方側第１の水収容室２１部分で、第１段階としての空気の清浄化が行われる。
【００３０】
次に、以上のようにして比較的大きめのゴミや塵埃Ｇ，Ｇ・・・が除去されて清浄化された空気は、さらに上昇して、上記第２の水収容室２２の底壁部３２の第１の微小直径φ１の孔３２ａ，３２ａ・・・から上記第２の水収容室２２内の水Ｗ２中に供給されて、上記第１の水収容室２１の水Ｗ１中での気泡Ｂ１，Ｂ１・・・よりも遥かに小径で、遥かに多数の気泡Ｂ２，Ｂ２・・・となって上昇する。今、ここで発生する各気泡Ｂ２，Ｂ２・・・の合計の表面積は、例えば上述の寸法φ１＝１０００μｍの孔３２ａ，３２ａ・・・の場合で、８０００ｍｍ２位となる。この時、同気泡Ｂ２，Ｂ２・・・中に含まれている埃や花粉、ウイルス、細菌等の空気中の微細な汚染物質Ｇ，Ｇ・・・が水Ｗ２と効率良く接触し、例えば図２の場合と同様にして水Ｗ２中に取り込まれてゆく。これにより、中段側第２の水収容室２２部分で、埃や花粉に加え、ウイルス、細菌の一部を除去する第２段階としての空気の清浄化が行われる。
【００３１】
この場合、捕集される汚染物質の大きさは、気泡の大きさと関係し、気泡の径が大きいと径の大きな汚染物質は捕集できるが、径の小さな微細な汚染物質に対しては、その界面部での接触確率が低くなるので、捕集しにくい（図３参照・・・図中の各枡目Ｍ２，Ｍ２・・・は、上記孔３２ａ，３２ａ・・・の径φ１に対応して生じる気泡Ｂ２，Ｂ２・・・のサイズを示している）。したがって、気泡の径は、捕集すべき汚染物質の種類（大きさ）に応じて、複数の段階に変えることが好ましい。
【００３２】
そこで、次に、以上のようにして比較的大きめのゴミや塵、また、それよりも小さい埃や花粉、ウイルス、細菌の一部が除去されて清浄化された空気は、さらに上昇して、上記第３の水収容室２３の底壁部３３の上記第１の微小な孔３２ａ，３２ａ・・・の第１の微小な直径φ１よりも遥かに小さな第２の微小な直径φ２の孔３３ａ，３３ａ・・・から上記第３の水収容室２３内の水Ｗ３中に供給されて、上記第２の水収容室２２の水Ｗ２中での気泡Ｂ２，Ｂ２・・・よりも遥かに小径で、遥かに多数の気泡Ｂ３，Ｂ３・・・となって上昇する。今、ここで発生する気泡Ｂ３，Ｂ３・・・の合計の表面積は、上述の寸法φ２＝１０μｍの孔３３ａ，３３ａ・・・の場合で、例えば８００，０００ｍｍ２位となる。したがって、上記第２の水収容室２２部分での気泡Ｂ２，Ｂ２・・・の場合よりも水Ｗ３との界面での接触確率は遥かに高くなり、上記第２の水収容室２２部分に比べて遥かに小さな汚染物質をも捕集させることが可能となる（図４参照・・・この場合にも、図中の枡目Ｍ３，Ｍ３・・・は、孔３３ａ，３３ａ・・・の径φ２に対応して生じる気泡Ｂ３，Ｂ３・・・のサイズを示している）。したがって、同気泡Ｂ３，Ｂ３・・・中に含まれている特にウイルスや細菌等の微細な汚染物質Ｇ，Ｇ・・・が水Ｗ３と効率良く接触し、例えば図２の場合と同様にして、水Ｗ３中に確実に取り込まれてゆく。これにより、上段側第３の水収容室２３部分で、第３段階として高精度の最終的な空気の清浄化が行われる。
【００３３】
そして、以上のようにして捕集された汚染物質は、それぞれその比重に応じて上記第１，第２，第３の各水収容室２１，２２，２３内の水面付近に浮遊することになるが、該水面付近に集積する汚染物質は、上記水循環路８を介して一定の水が上記第１の水収容室２１から第３，第２の水収容室２３，２２に順次供給されることにより、それぞれ順次オーバーフローして、上述の第１，第２のオーバーフローパイプ４，５内の第１，第２のオーバーフロー通路４ａ，５ａを介して最終的に第１の水収容室２１内に回収される。
【００３４】
この結果、上記のような構成の空気清浄器によると、順次球径の異なる気泡を利用して複数の段階で、塵埃や花粉、ウイルス、細菌、ホルムアルデヒド、ＮＯｘ等を洗浄除去（吸着除去）して行くことができるようになっているから、比較的大きな塵や埃から、花粉、微小な細菌類、各種の臭いやＮＯｘまで、効果的かつ確実に除去することが可能となる。
【００３５】
しかも、従来のフィルター方式によって目を細かくして行く場合のような、圧損の上昇が少なく、空気供給のための動圧アップの必要もなくなる。
【００３６】
また、上記構成では、コストがかからず家庭でも回収交換の容易な水を空気清浄化剤として使用しているために、低コストで、フィルターを使用した時のような、細菌繁殖等の衛生上の問題も解消される。
【００３７】
また、第１，第２，第３の各水収容室２１，２２，２３で捕集された汚染物質は、最終的に第１の水収容室２１の水面部に集められるので、同水面を見ることにより、実際に空気中の汚染物質が捕集されていることをユーザーに実感させることができる。このため、上記本体ケーシング１は、必要に応じて同捕集状態を外部から容易に見ることができるような構成（全体又は部分的に透明な構造とするなど）が採用される。
【００３８】
（実施の形態２）
次に図５および図６は、洗浄液を水滴状態にして空気中の汚染物質を捕集するようにした本願発明の実施の形態２に係る空気清浄器の構成および作用を示している。
【００３９】
図中、先ず符号１１は、同空気清浄器の箱形の本体ケーシングであり、この本体ケーシング１１の内部は、一方側空気吸込口１２ａから他方側送風機１８を備えた空気吹出口１２ｂ方向に空気が流れる空気流通空間１２に形成されている。そして、この空気流通空間１２内の上流側には、上記空気吸込口１２ａから吸込まれた空気中の塵埃や花粉、ウイルス、細菌等の汚染物質Ｇ，Ｇ・・・を（＋）電位に帯電させる第１の帯電電極１３ａと該第１の帯電電極１３ａの下流側にあって、下方側水収容タンク１５からの水Ｗを水滴状態にして上方から下方にしたたらせるとともに、該上方から下方にしたたる水滴Ｗａ，Ｗａ・・を（−）電位に帯電させる第２の帯電電極１３ｂが、それぞれ所定の間隔を保って対面対向状態で並設されている。該第１，第２の帯電電極１３ａ，１３ｂは、それぞれ空気が通過流通するように、例えば導電性金属よりなるメッシュ構造に形成され、それら各々の下端部をアースすることなくフローティング状態に支持するとともに、他方、上端部間に図示のような極性で所定の電源電圧の直流電源１４を接続して構成されている。
【００４０】
ところで、上記水収容タンク１５は、上記第２の帯電電極１３ｂの直下に位置して設けられ、上述のようにして第２の帯電電極１３ｂの上流面側に沿って（−）に帯電させられながらしたたらせられる水滴Ｗａ，Ｗａ・・を受け容れ、回収するようになっている。そして、同水収容タンク１５内の底部側には、フィルタ部材１５ａを介して水循環パイプ１６の下端側吸込口が連通されている。水循環パイプ１６は、その上端側水滴吐出口部１６ａ側を、上記第２の帯電電極１３ｂの上端に接近して開口させており、その水循環通路途中に介設した水汲み上げ手段（低速駆動ポンプなど）１７により汲み上げられた水Ｗを図示のような水滴Ｗａ，Ｗａ・・状態にして、同第２の帯電電極１３ｂの上流面側に沿って接触させ、（−）に帯電させながら間断なく滴下させる。そして、その滴下途中において、上記第１の帯電電極１３ａによって（＋）に帯電させられて流されてくる各種の汚染物質Ｇ，Ｇ・・・を静電的に吸着キャッチして下方側水収容タンク１５内に集める。この水収容タンク１５内の水は、適宜新しい水と交換される。
【００４１】
なお上記水収容タンク１５は、例えば図示のようにアースを取っており、上記のようにして水収容タンク１５内に収容された帯電汚染物質Ｇ，Ｇ・・・、帯電水滴Ｗａ，Ｗａ・・の電位を、再帯電可能に除電無電位化した上で、再び循環させるようになっている。
【００４２】
（実施の形態３）
さらに図７および図８は、洗浄液を石けん水等の泡形成剤とし、同洗浄液を泡状態にして空気中の汚染物質と接触させて捕集するようにした本願発明の実施の形態３に係る空気清浄器の構成および作用を示している。
【００４３】
図中、先ず符号４１は、同空気清浄器の箱形の本体ケーシングであり、この本体ケーシング４１の内部は、一方側空気吸込口４２ａから他方側送風機４６を備えた空気吹出口４２ｂ方向に空気が流れる空気流通空間４２に形成されている。
【００４４】
そして、この空気流通空間４２には、図示のように、その上流側から下流側にかけて、例えば第１，第２，第３の複数の泡上昇通路４４Ａ，４４Ｂ，４４Ｃが並設されている。この第１，第２，第３の泡上昇通路４４Ａ，４４Ｂ，４４Ｃは、空気の流通が可能な例えば第１〜第４のメッシュ部材４３ａ，４３ｂ，４３ｃ，４３ｄを使用し、それらを所定の間隔を保って並設することにより形成されている。
【００４５】
一方、該第１，第２，第３の泡上昇通路４４Ａ，４４Ｂ，４４Ｃの底部には、洗浄液回収容器４５が設けられており、同容器４５の内部に位置して、図示のように泡形成剤供給タンク４９からの石けん水等の泡形成剤が供給される泡形成剤供給パイプ４７下流端の第１，第２，第３の各分岐端部４７ａ，４７ｂ，４７ｃが上方に向けて開口されている。また、同泡形成剤供給パイプ４７の途中には、泡形成剤供給ポンプ４８が介設されている。この泡形成剤供給ポンプ４８のポンプケーシングの一部には、若干の外気を吸入して上記泡形成剤に混入し、泡形成剤を発泡させやすい状態にして供給する外気吸入口５０が設けられている。
【００４６】
また、上記本体ケーシング４１の天井部には、発生した泡Ｓ，Ｓ・・・の浮揚作用を良好にするための、若干の開口５１がフィルター部５１を介して設けられている。
【００４７】
したがって、以上の構成では、今例えば上記泡形成剤供給ポンプ４８が駆動されると、上記泡形成剤供給パイプ４７の第１，第２，第３の分岐端部４７ａ，４７ｂ，４７ｃの上端側開口部から所望の大きさの泡Ｓ，Ｓ・・・がシャボン玉状に多数連続して形成され、図示のように間断なく上方に上昇して行くようになる。
【００４８】
他方、この状態で上記送風機４６が駆動されると、塵埃や花粉、ウイルス、細菌等の汚染物質Ｇ，Ｇ・・・を含む室内の汚れた空気が、空気吸込口４２ａから吸い込まれて、上記第１，第２，第３の泡上昇通路４４Ａ，４４Ｂ，４４Ｃを通って多数の泡Ｓ，Ｓ・・・と接触しながら、空気吹出口４２ｂ方向に吹き出されて行くようになる。
【００４９】
そして、同空気の多数の泡Ｓ，Ｓ・・・との接触時において、同空気中に含まれる上記塵埃や花粉、ウイルス、細菌等の汚染物質Ｇ，Ｇ・・・は、当該泡Ｓ，Ｓ・・・との接触時において、例えば図８に示されるように、効果的に泡Ｓ，Ｓ・・・中に取り込まれ、通路天井部のメッシュ部に衝突した時の表面張力の喪失により、砕けて水滴となり、下方の洗浄液回収容器４５内に集められ、その液面４５ａ上に浮遊する。
【００５０】
この洗浄液回収容器４５内の回収液は、定期的に排出処理される。
【００５１】
（他の実施の形態）
以上の各実施の形態の空気清浄器には、さらに必要に応じて次のような機能を付加することができる。
【００５２】
（１）　加湿機能やレナード効果等を利用したマイナスイオン発生機能
（２）　超音波や電解還元、オゾン等による殺菌機能
（３）　快適な芳香の付加機能
【図面の簡単な説明】
【図１】本願発明の実施の形態１に係る空気清浄器の全体的な構成を示す断面図である。
【図２】同空気清浄器の作用原理を示す説明図である。
【図３】同空気清浄器の第１の枡目サイズと捕集物質の大きさとの関係を示す説明図である。
【図４】同空気清浄器の第２の枡目サイズと捕集物質の大きさとの関係を示す説明図である。
【図５】本願発明の実施の形態２に係る空気清浄器の全体的な構成を示す断面図である。
【図６】同空気清浄器の作用原理を示す説明図である。
【図７】本願発明の実施の形態３に係る空気清浄器の全体的な構成を示す断面図である。
【図８】同空気清浄器の作用原理を示す説明図である。
【符号の説明】
１は本体ケーシング、７は空気供給路、２１〜２３は第１〜第３の水収容室、３１〜３３は第１〜第３の水収容室２１〜２３の底壁部、Ｂ１〜Ｂ３は気泡、Ｇは塵埃および花粉、ウィルス、細菌等の汚染物質、Ｗ１〜Ｗ３は水、１１は本体ケーシング、１２ａは空気吸込口、１２ｂは空気吹出口、１３ａは第１の帯電電極、１３ｂは第２の帯電電極、１４は直流電源、１５は水収容タンク、１６は水循環パイプ、１７は水汲み上げ手段、Ｗａは水滴、４１は本体ケーシング、４２は空気流通空間、４４Ａ〜４４Ｃは第１〜第３の泡上昇通路、４６は送風機、４７は泡形成剤供給パイプ、Ｓは泡である。
【図１】
2004033939.tif 000003
【図２】
2004033939.tif 000004
【図３】
2004033939.tif 000005
【図４】
2004033939.tif 000006
【図５】
2004033939.tif 000007
【図６】
2004033939.tif 000008
【図７】
2004033939.tif 000009
【図８】
2004033939.tif 000010